(57)【要約】【課題】  脇および下カップ部はすっきりと、かつ、上カップ部およびデコルテはふっくらとしたシルエットを実現する、バストの造形性に優れたカップ部を有する衣類を提供することを目的とする。【解決手段】  本発明のカップ部を有する衣類は、一対のカップ部１０１、カップ支持部１０２およびバック部１０３を備え、カップ支持部１０２は、一対のカップ部１０１の下縁に設けられ、バック部１０３は、カップ支持部１０２の脇側に取り付けられ、カップ部１０１は、上カップ部１０１Ａと下カップ部１０１Ｂとから構成され、下カップ部１０１Ｂは、非伸縮性または難伸縮性の素材を含み、下カップ部１０１Ｂは、カップ部１０１の下辺部全域および脇上辺部Ｓ全域を含み、かつ、バストトップ位置Ｔを含まない略Ｕ字状の部材であることを特徴とする。【選択図】  図１
2018188755.tif 000002
【特許請求の範囲】
【請求項１】
カップ部を有する衣類であって、
一対のカップ部、カップ支持部およびバック部を備え、
前記カップ支持部は、前記一対のカップ部の下縁に設けられ、
前記バック部は、前記カップ支持部の脇側に取り付けられ、
前記カップ部は、上カップ部と下カップ部とから構成され、
前記下カップ部は、非伸縮性または難伸縮性の素材を含み、
前記下カップ部は、前記カップ部の下辺部全域および脇上辺部全域を含み、かつ、バストトップ位置を含まない略Ｕ字状の部材であることを特徴とするカップ部を有する衣類。
【請求項２】
前記下カップ部は、前記カップ部の上辺部の前中心側の一部および前記カップ部の上辺部の脇側の一部の少なくとも一方を含む部材であることを特徴とする請求項１記載のカップ部を有する衣類。
【請求項３】
前記下カップ部は、前中心側の幅よりも脇上辺部側の幅が広くなっていることを特徴とする、請求項１または２記載のカップ部を有する衣類。
【請求項４】
前記上カップ部は、複数の部材を結合することにより構成されることを特徴とする、請求項１から３のいずれか一項に記載のカップ部を有する衣類。
【請求項５】
さらに、肩ストラップを備え、
前記肩ストラップは、前記一対のカップ部の上辺部において前記下カップ部に連結されていることを特徴とする、請求項１から４のいずれか一項に記載のカップ部を有する衣類。
【請求項６】
衣類がブラジャーであることを特徴とする、請求項１から５のいずれか一項に記載のカップ部を有する衣類。
【請求項７】
衣類が、さらに衣類本体部を有することを特徴とする、請求項１から５のいずれか一項に記載のカップ部を有する衣類。
【発明の詳細な説明】
【技術分野】
【０００１】
本発明は、カップ部を有する衣類に関する。
【背景技術】
【０００２】
従来、カップ部を有する衣類、例えば、ブラジャーでは、バストを造形するための方法として、パッドを用いてバストのボリュームを出す方法や、いわゆるモールドタイプのカップやパッド（以下カップ部という）において、カップ部の厚みや剛性を調整する方法が提案されてきた（例えば、特許文献１および２参照）。また、当て布とボーンとの作用によりカップ自体に双方の乳房を中央へ寄せる機能を付与することを目的として、カップ部の各裏面外側部にそれぞれ当て布を添わせ、その当て布を各カップ部の下縁を上縁とに縫合すると共に、各当て布の内側辺にカップサイドボーンを一体化させるブラジャーが提案されている（例えば、特許文献３参照）。
【先行技術文献】
【特許文献】
【０００３】
【特許文献１】特開平９−７８３１１号公報
【特許文献２】特開２００５−１３９５７２号公報
【特許文献３】特開平９−１８８９０２号公報
【発明の概要】
【発明が解決しようとする課題】
【０００４】
しかし、バストのボリュームを出すために、単にパッド等を付加しても、ブラジャー等が浮き上がってしまい却って不自然な外観となったり、パッドがバストの重みに負け、着用時にブラジャー等がパッドの厚みの分だけ本来のバストの付き位置より下に付いてしまうことがある。また、カップ部の外側部（脇側）に当て布やボーンを付加した場合も、脇をすっきり見せる効果はあるが、バストの脇側が平面的なシルエットになる等、造形性は十分なものとはいえなかった。
【０００５】
本発明は、不自然なシルエットにすることなく、脇および下カップ部はすっきりと、かつ、上カップ部およびデコルテはふっくらとしたシルエットを実現する、バストの造形性に優れたカップ部を有する衣類を提供することを目的とする。
【課題を解決するための手段】
【０００６】
前記目的を達成するために、本発明のカップ部を有する衣類は、
一対のカップ部、カップ支持部およびバック部を備え、
前記カップ支持部は、前記一対のカップ部の下縁に設けられ、
前記バック部は、前記カップ支持部の脇側に取り付けられ、
前記カップ部は、上カップ部と下カップ部とから構成され、
前記下カップ部は、非伸縮性または難伸縮性の素材を含み、
前記下カップ部は、前記カップ部の下辺部全域および脇上辺部全域を含み、かつ、バストトップ位置を含まない略Ｕ字状の部材であることを特徴とする。
【発明の効果】
【０００７】
本発明のカップ部を有する衣類によれば、脇および下カップ部はすっきりと、かつ、上カップ部およびデコルテはふっくらとしたシルエットを実現して、優れたバストの造形性を得ることができる。
【図面の簡単な説明】
【０００８】
【図１】図１は、本発明のカップ部を有する衣類の一例である、第１の実施形態に係るブラジャーの正面図である。
【図２】図２は、前記第１の実施形態に係るブラジャーのカップ部付近の斜視図である。
【図３】図３は、ブラジャー１００を着用した時のバストボリュームの状態を説明する図である。
【図４】図４は、前記第１の実施形態の変形例に係るブラジャーを示す斜視図である。
【図５】図５は、着用評価におけるバストの形状を示す図である。上側の図は、ブラジャー着用時の胸を側面から撮影したバストシルエットを示す図、下側の図は、同じく上から撮影したバストシルエットを示す図である。
【図６】図６（ａ）および図６（ｂ）は、本発明のカップ部を有する衣類のその他の例である、ブラキャミソールを示す斜視図である。
【発明を実施するための形態】
【０００９】
本発明のカップ部を有する衣類において、前記下カップ部は、前記カップ部の上辺部の前中心側の一部および前記カップ部の上辺部の脇側の一部の少なくとも一方を含む部材であることが好ましい。
【００１０】
本発明のカップ部を有する衣類において、前記下カップ部は、前中心側の幅よりも脇上辺部側の幅が広くなっていることが好ましい。
【００１１】
本発明のカップ部を有する衣類において、前記上カップ部は、複数の部材を結合することにより構成されることが好ましい。
【００１２】
本発明のカップ部を有する衣類において、さらに、肩ストラップを備え、前記肩ストラップは、前記一対のカップ部の上辺部において前記下カップ部に連結されていることが好ましい。
【００１３】
本発明のカップ部を有する衣類において、衣類がブラジャーであることが好ましい。
【００１４】
本発明のカップ部を有する衣類において、さらに衣類本体部を有することが好ましい。
【００１５】
本発明のカップ部を有する衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１６】
（第１の実施形態）
図１および図２に、本発明のカップ部を有する衣類の第１の実施形態に係るブラジャー１００を示す。図１は、本実施形態のブラジャー１００の正面図であり、図２は、ブラジャー１００のカップ部付近の斜視図である。前記二図において、同一部分には同一符号を付している。
【００１７】
本実施形態のブラジャー１００は、一対のカップ部１０１、一対のカップ部１０１を支持するカップ支持部１０２、一対のバック部１０３および一対の肩ストラップ１０４を備えた、いわゆる３／４カップのブラジャーである。カップ部１０１の下縁には、カップ支持部１０２が設けられ、カップ支持部１０２の脇側には、一対のバック部１０３の一端が取り付けられている。一対のバック部１０３の他端には、連結係止部１０７が取り付けられて、背中心付近で着脱自在になっている。カップ支持部１０２はバージスラインに沿うように形成されており、本実施形態においては、カップ支持部１０２にはワイヤー１０５が設けられている。カップ支持部１０２は、土台部１１０に結合しており、土台部１１０によって、一対のカップ部１０１が連結されている。
【００１８】
一対のカップ部１０１は、上カップ部１０１Ａと下カップ部１０１Ｂとから構成されている。図中において、下カップ部１０１Ｂはカップ部１０１の斜線を付与した部分であり、上カップ部１０１Ａはカップ部１０１のそれ以外の部分である。下カップ部１０１Ｂは、非伸縮性または難伸縮性の素材を含んでいる。そして、下カップ部１０１Ｂは、カップ部１０１の下辺部全域および脇上辺部Ｓ全域を含み、かつ、バストトップ位置Ｔを含まない略Ｕ字状の部材である。
【００１９】
図３は、ブラジャー１００を着用した時のバストボリュームの状態を説明する図である。破線はバストの上側における身体との境界であるデコルテラインを示す。下カップ部１０１Ｂは、非伸縮性または難伸縮性の素材で、バストの下側から脇側にかけての広い領域に略Ｕ字状（凹状）に設けられていることで、バストに対して力を逃すことなく押し付けることができる。これにより、バストのボリュームを、前中心の上側方向（図３中の白矢印の方向）に移動させることができ、「寄せて上げる」効果を得ることができる。
【００２０】
下カップ部１０１Ｂは、カップ部１０１の脇上辺部Ｓの全域を含む領域に設けられている、すなわち、下カップ部１０１Ｂ脇側がカップ部１０１上辺までつながっているので、バストの脇全体を前中心に押すことができ、その結果、脇部分において、すっきりとしたシルエットとすることができる。
【００２１】
下カップ部１０１Ｂは、非伸縮性または難伸縮性の素材を含んでおり、ハリ・コシのある硬く伸びにくいものである。したがって、バストのボリュームに負けずにバストの下垂や脇流れを抑えることができる。また、ブラジャー１００にパッドを挿入して使用した場合であっても、前記パッドやバストのボリュームに負けることなく、バストの造形を行うことができる。前記非伸縮性または難伸縮性の素材としては、高密度不織布、高密度ウレタンフォーム、ダブルラッセル等を、単独でまたはこれらを組み合わせて用いることができる。ここで、高密度不織布とは、ポリエステル１００％の不織布の場合、見かけ密度が０．０４ｇ／ｃｍ３以上である不織布を指し、好ましくは０．０４ｇ／ｃｍ３〜０．０６ｇ／ｃｍ３以上の不織布である。また、高密度ウレタンフォームとは、見かけ密度が８０ｋｇ／ｍ３（０．０８ｇ／ｃｍ３）以上であるウレタンフォームを指し、好ましくは８０〜１３０ｋｇ／ｍ３（０．０８〜０．１３ｇ／ｃｍ３）のウレタンフォームである。高密度不織布や高密度ウレタンフォームを用いると、立体成型によって成型された部材を下カップ部１０１Ｂとして用いることができ、バストをより理想的な形状に近づけることができる。
【００２２】
上カップ部１０１Ａは、下カップ部１０１Ｂより柔らかい（ハリ・コシの小さい）不織布、ウレタン、ダブルラッセル等の素材を用いることができる。上カップ部１０１Ａと下カップ部１０１Ｂとは縫製や接着等の方法によって結合される。このように、上カップ部１０１Ａと下カップ部１０１Ｂとを結合したカップ部１０１とすると、カップ部全体をモールド成型したものと比べて着用時に肌になじみやすい。また、上カップ部１０１Ａは、複数の部材を結合することにより構成されることが好ましい。複数の部材を結合することで、立体的に形成でき、着用時のフィット性をより高めることができる。本実施形態においては、上カップ部１０１Ａは三枚の部材が縫合された三枚接ぎにより構成されているが、本発明はこれに限定されず、二枚接ぎとすることもできる。
【００２３】
本実施形態においては、肩ストラップ１０４を備えており、肩ストラップ１０４は、一対のカップ部１０１の上辺部において下カップ部１０１Ｂに連結されている。このように下カップ部１０１Ｂ上辺部を肩ストラップ１０４で引き上げることで、脇側をより安定して押さえることができる。肩ストラップ１０４を備える態様のブラジャーにおいては、下カップ部１０１Ｂは、バージスラインの最下点とストラップの取り付け位置を結ぶ線よりも脇側の領域を少なくとも含むことが好ましい。
【００２４】
下カップ部１０１Ｂは、略Ｕ字状（凹状）であるため、着用時には、バストに手を添えて脇側を持ち上げてバストの形を作ったときのように、つぶれ過ぎないシルエットを実現することができる。ここで、下カップ部１０１Ｂは、カップ部１０１の上辺部の前中心側の一部およびカップ部１０１の上辺部の脇側の一部の少なくとも一方を含む部材であることが好ましい。下カップ部１０１Ｂがカップ部１０１の上辺部の前記部分を含むことによって、脇および下カップ部をよりすっきりとさせ、かつ、上カップ部およびデコルテはよりふっくらとしたシルエットを実現することができる。下カップ部１０１Ｂは、カップ部１０１の上辺部の前中心側は０〜３．５ｃｍ程度を含むことが好ましい。また、カップ部１０１の上辺部の脇側は、０〜４．５ｃｍ程度を含むことが好ましい。
【００２５】
また、下カップ部１０１Ｂは、前中心側の幅よりも脇上辺部側の幅が広くなっていることが好ましい。より具体的には、下カップ部１０１Ｂの幅は、例えばＣ７０サイズの場合、前中心側の端部において０ｍｍ〜３０ｍｍの範囲内にあることが好ましく、より好ましくは、１５ｍｍ〜２５ｍｍの範囲内とすることが好適である。そして、前中心側の幅よりも脇上辺部側の幅が広くなることが好ましく、脇上辺部側の端部において２０ｍｍ〜７０ｍｍの範囲内にあることが好ましく、より好ましくは、５０ｍｍ〜７０ｍｍの範囲内とすることが好適である。バストは通常、脇側へながれるため、下カップ部１０１Ｂにおいて前中心側の幅より脇上辺部側の幅を広くすることにより、造形力を高めることができる。前記の幅は、バストサイズによって最適値は変化するが、いずれのサイズにおいても、着用時におけるバストトップ位置は覆わない幅に設定される。
【００２６】
本実施形態のブラジャーでは、連結係止部１０７として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００２７】
連結係止部１０７としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２８】
本実施形態においては、肩ストラップ１０４の一端はカップ部１０１（下カップ部１０１Ｂ）に取り付けられ、肩ストラップ１０４の他端はバック部１０３の上辺部に取り付けられた円環の係止具１０８Ａを通って反転し、エイト環からなる長さ調節具１０８Ｂに導入されることによって、バック部１０３の上辺に取り付けられている。このような方法で肩ストラップ１０４を取り付けると、肩ストラップ１０４の長さは調整が可能となる。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。例えば、肩ストラップ１０４は、紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００２９】
なお、本実施形態では、３／４カップのブラジャーを例示して説明したが、本発明は、これに限定されるものではない。本発明は、例えば、１／２カップやフルカップのブラジャーとすることもできる。
【００３０】
本実施形態において、ブラジャー１００は、カップ支持部１０２にはワイヤー１０５が設けられているワイヤータイプであるが、本発明はワイヤータイプに限定されず、ノンワイヤータイプのブラジャーにも適用することができる。カップ支持部１０２には、剛直なワイヤー等を設けず変形可能なものであってもよく、例えば、布材を重ね合わせて形成してもよい。カップ支持部１０２は、ノンワイヤーでもよいし、剛性の低い樹脂ワイヤーや、前記樹脂ワイヤーと同程度の剛性を有する金属ワイヤー等を設けていてもよい。前記金属ワイヤーとしては、径が小さい（細い）ものや、剛性の低いチタン等の材料を用いて形成されたワイヤーを用いることができる。布材を重ね合わせてカップ支持部１０２を形成する場合には、バージスラインに沿うような湾曲形状を有する布テープを重ね合わせて用いてもよい。カップ支持部１０２が変形可能な材料からなる場合、楽な着用感のブラジャーとすることができる。カップ支持部１０２は、カップ部１０１とは別部材で構成してもよい。
【００３１】
なお、本実施形態では、ブラジャー１００は、土台部１１０を介して、左右のカップ支持部１０２が連結されるとともに、カップ支持部１０２とバック部１０３とが連結されている例を挙げて説明した。しかし、本発明は、これに限定されるものではない。本発明は、例えば、土台部１１０を備えない、いわゆるメガネタイプのブラジャーとしてもよい。図４に、本実施形態の変形例として、いわゆるメガネタイプのブラジャー２００の斜視図を示す。図４に示すように、バック部２０３がカップ支持部２０２に直接連結されるように前方へ延び、左右のカップ支持部２０２の前中心側部分同士を連結する連結部材を別途備える態様とすることができる。これにより、デザイン性に優れ、軽い着け心地を実現することができる。
【００３２】
また、本実施形態においては、土台部１１０は、カップ部１０１の下縁途中まで延設されているが、脇部分まで延設されているものであってもよい。土台部１１０を設けることで、アンダーバスト部分での装着安定性を向上させることができる。
【００３３】
［着用客観評価］
図１に示すタイプの本発明に係るブラジャー１００および従来品のブラジャーＡ、Ｂ、Ｃを、それぞれ、バストサイズがＣ７０の同一のモニターが着用した際の着用客観評価を行った。結果を図５に示す。図５の上側の図は、ブラジャー１００および従来品のブラジャーＡ、Ｂ、Ｃの４種類について、それぞれ同一モニターが着用した際の胸を側面から撮影したバストシルエットを示す図である。図５の下側の図は、同じく同一モニターが着用した際の胸を上から撮影したバストシルエットを示す図である。図５において、（ａ）はブラジャー１００を着用した状態、（ｂ）は従来品のブラジャーＡを着用した状態、（ｃ）は従来品のブラジャーＢを着用した状態、（ｄ）は従来品のブラジャーＣを着用した状態である。
【００３４】
ここで、ブラジャーＡは、従来のボリュームアップを目的とするタイプのブラジャーである。このブラジャーＡは、バストボリュームのアップのための柔らかいパッドを胸に添えている。そのため、バストボリュームはアップするが、胸が下がったように見えやすい。ブラジャーＢは、従来のデコルテメイクを目的とするタイプのブラジャーである。バスト上側における身体との境界であるデコルテラインを際立たせるため、パッドを胸に押し当てるため、デコルテはふっくらするが、突出は少なくなるブラジャーである。ブラジャーＣは、従来の着やせを目的とするタイプのブラジャーである。脇でしっかりと押さえるので、脇はスッキリするが、全体にコンパクトにまとまるブラジャーである。
【００３５】
上側の図について比較すると、本発明のブラジャー１００は、ブラジャーＡ、ＢおよびＣに比べ、バストが上向きとなっており、デコルテがふっくらとしたシルエットとなっていることがわかる。また、ブラジャー１００は、ブラジャーＡ、ＢおよびＣ、トップ点（最も突出している点）が高くなっていることがわかる。下側の図について比較すると、本発明のブラジャー１００では、ブラジャーＡ、ＢおよびＣに比べ、脇がすっきりしたシルエットとなっており、バストの突出がアップしている。ブラジャー１００では、バストを寄せて脇がすっきりし、前に丸みのあるきれいなシルエットに整えられていることがわかる。
【００３６】
（第２の実施形態）
次に、図６（ａ）に本発明のカップ部を有する衣類のその他の例として、ブラキャミソール３００の斜視図を示す。
【００３７】
このブラキャミソール３００のブラジャー相当部分は、図１で説明したブラジャー１００とほぼ同一の概念のもとに設計されている。本態様においては、ブラキャミソール３００が、土台部１１０の下側に、身頃３０１を有している。本例では、身頃３０１は、別途設けられたバック部１０３の下に取り付けられているが、身頃３０１が本発明におけるバック部を兼ねてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００３８】
（第３の実施形態）
図６（ｂ）に本発明のカップ部を有する衣類のその他の例として、ブラキャミソール４００の斜視図を示す。
【００３９】
このブラキャミソール４００は、キャミソールの身頃内側にブラジャー相当部分が設けられており、前記ブラジャー相当部分は、図１で説明したブラジャー１００とほぼ同一の概念のもとに設計されている。本態様においては、ブラキャミソール４００は、ブラジャー相当部分を覆うように身頃４０１を有している。また、バック部１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例の構成にすることにより、カップ部１０１のデザインにかかわらず、着用時の外観のバリエーションを多様にすることができる。また、カップ部１０１を、よりアウターにひびかなくすることもできる。
【００４０】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００４１】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００４２】
１００、２００  ブラジャー
１０１  カップ部
１０１Ａ  上カップ部
１０１Ｂ  下カップ部
１０２、２０２  カップ支持部
１０３、２０３  バック部
１０４  肩ストラップ
１０５  ワイヤー
１０７  連結係止部
１０８Ａ  円環係止具
１０８Ｂ  長さ調節具
１１０  土台部
３００、４００  ブラキャミソール
３０１、４０１  身頃
Ｓ  脇上辺部
Ｔ  バストトップ位置
【図１】
2018188755.tif 000003
【図２】
2018188755.tif 000004
【図３】
2018188755.tif 000005
【図４】
2018188755.tif 000006
【図５】
2018188755.tif 000007
【図６】
2018188755.tif 000008